(57)【特許請求の範囲】
【請求項１】
管状の本体であって第１径方向に間隔を置かれた２つの側部分と該側部分の間に前記第１径方向と直交する第２径方向に間隔を置かれた頂部分及び底部分とを有する、開放された端部を有する本体と、前記頂部分に設けられ、前記本体の軸線方向外方へ開放された第１スリットと、前記底部分に設けられ、前記本体の軸線方向外方へ開放された第２スリットとを有する斜材を鉄塔の主柱材に取り付ける取付け部の構造であって、
一端部が前記主柱材に固定されたガセットプレートと、
前記第１径方向に間隔を置かれ、それぞれが、前記第２径方向に間隔を置かれた２つの端部分と該端部分の間に前記軸線方向に間隔を置かれた頂部分及び底部分とを有する、相対する２つの側部と、一側部の前記底部分と他側部の前記底部分との間に設けられた底部とからなる第１部材であって各側部の一端部分が前記斜材の前記本体の前記端部の前記頂部分の第２径方向外方に、他端部分が前記底部分の第２径方向外方にそれぞれ配置され、前記側部の前記底部分及び前記底部が前記第１スリットと前記第２スリットとに受け入れられ、前記本体の前記端部の前記頂部分と前記底部分とに固定され、前記側部の前記頂部分が前記本体の前記端部から前記本体の軸線方向外方へ隔てられ、前記ガセットプレートの他端部に結合された第１部材と、
前記第１部材の前記側部の各端部分に固定され、該端部分から第１径方向外方へ突出する第２部材であって第１径方向外方から前記端部分に向けて風が吹いたとき、該風が前記端部分に当たることを妨げる第２部材とを含む、主柱材への斜材取付け部の構造。
【請求項２】
前記第２部材は、前記第２径方向に対して垂直な板状である、請求項１に記載の主柱材への斜材取付け部の構造。
【請求項３】
前記第１部材の前記一側部と前記他側部との間の間隔は約２０ｍｍであり、前記第１径方向における前記第２部材の長さ寸法は１０ｍｍないし２０ｍｍである、請求項１又は２に記載の主柱材への斜材取付け部の構造。
【発明の詳細な説明】
【技術分野】
【０００１】
本発明は、鉄塔の主柱材に斜材を取り付ける取付け部の構造に関する。
【背景技術】
【０００２】
従来、鉄塔の主柱材には、管状の本体を有する斜材が取り付けられているものがある。前記本体は、第１径方向に間隔を置かれた２つの側部分と該側部分の間に前記第１径方向と直交する第２径方向に間隔を置かれた頂部分及び底部分とを有する、開放された端部を有し、前記斜材は、前記頂部分に設けられ、前記本体の軸線方向外方へ開放された第１スリットと、前記底部分に設けられ、前記本体の軸線方向外方へ開放された第２スリットとを有する。
【０００３】
前記斜材を前記主柱材に取り付ける取付け部の構造には、一端部が前記主柱材に固定されたガセットプレートと、該ガセットプレートの他端部と前記本体の前記端部とを連結する連結部材とを有するものがある。前記連結部材は、前記第１径方向に間隔を置かれた、相対する２つの側部と、該側部の間に設けられた底部とからなり、一側部と他側部との間に隙間がある。各側部は、前記第２径方向に間隔を置かれた２つの端部分と、該端部分の間に前記本体の軸線方向に間隔を置かれた頂部分及び底部分とを有する（特許文献１参照）。
【０００４】
前記連結部材の各側部の前記底部分及び前記底部は、前記第１スリットと前記第２スリットとに受け入れられ、前記本体の前記端部の前記頂部分と前記底部分とに固定されており、前記側部の前記頂部分は、前記本体の前記端部から前記本体の軸線方向外方へ隔てられ、前記ガセットプレートの前記他端部に結合されている。前記側部の一端部分は前記本体の前記端部の前記頂部分の第２径方向外方に、他端部分は前記底部分の第２径方向外方にそれぞれ配置されている。
【先行技術文献】
【特許文献】
【０００５】
【特許文献１】特開２０００−２６５７１０号公報
【発明の概要】
【発明が解決しようとする課題】
【０００６】
図１９に示すように、連結部材１００の一側部１０２の各端部分１０４の第１径方向外方から該端部分に向けて風１０６が吹いたとき、該風は、端部分１０４に当たり、その後、端部分１０４の近傍を経て他側部１０８の端部分１１０へ流れる。このとき、一側部１０２の端部分１０４から他側部１０８の端部分１１０へ流れた空気が該端部分に当たって一側部１０２と他側部１０８との間に入ること及び一側部１０２と他側部１０８との間に入らずに該他側部の端部分１１０を通過することが周期的に繰り返されることがある。これにより、一側部１０２と他側部１０８との間の空気の圧力が周期的に変化し、該空気が共鳴する。このため、一側部１０２と他側部１０８との間から音が発生し、騒音問題が生じる。
【０００７】
本発明の目的は、管状の本体を有する斜材を、前記本体の径方向に間隔を置かれた、相対する２つの側部及び該側部の間に設けられた底部からなる部材と、ガセットプレートとを介して鉄塔の主柱材に取り付ける取付け部において、径方向外方から前記部材の一側部の各端部分に向けて風が吹いたときに前記一側部と他側部との間の空気が共鳴することを防ぎ、前記一側部と前記他側部との間から音が発生することを防止することである。
【課題を解決するための手段】
【０００８】
本発明は、管状の本体を有する斜材を鉄塔の主柱材に取り付ける取付け部の構造が、前記本体の第１径方向に間隔を置かれ、それぞれが、前記第１径方向と直交する第２径方向に間隔を置かれた２つの端部分を有する、相対する２つの側部と該側部の間に設けられた底部とからなる第１部材に加え、各側部の各端部分に固定され、該端部分から第１径方向外方へ突出する第２部材であって第１径方向外方から前記端部分に向けて風が吹いたとき、該風が前記端部分に当たることを妨げる第２部材を有する。これにより、前記風が前記端部分に当たらずに該端部分から前記第２径方向に離れた位置を経て他側部の前記端部分から前記第２径方向に離れた位置へ流れるようにし、前記風が一側部の前記端部分の近傍を経て他側部の前記端部分へ流れた従来の場合のように前記一側部の前記端部分から前記他側部の前記端部分へ流れた空気が該端部分に当たって前記一側部と前記他側部との間に入ること及び前記一側部と前記他側部との間に入らずに該他側部の前記端部分を通過することが周期的に繰り返されることがないようにする。これにより、前記一側部と前記他側部との間の空気が共鳴することを防ぎ、前記一側部と前記他側部との間から音が発生することを防止する。
【０００９】
本発明に係る、鉄塔の主柱材への斜材取付け部の構造は、管状の本体であって第１径方向に間隔を置かれた２つの側部分と該側部分の間に前記第１径方向と直交する第２径方向に間隔を置かれた頂部分及び底部分とを有する、開放された端部を有する本体と、前記頂部分に設けられ、前記本体の軸線方向外方へ開放された第１スリットと、前記底部分に設けられ、前記本体の軸線方向外方へ開放された第２スリットとを有する斜材を主柱材に取り付ける取付け部の構造であり、該取付け部の構造は、一端部が前記主柱材に固定されたガセットプレートと、前記第１径方向に間隔を置かれ、それぞれが、前記第２径方向に間隔を置かれた２つの端部分と該端部分の間に前記軸線方向に間隔を置かれた頂部分及び底部分とを有する、相対する２つの側部と、一側部の前記底部分と他側部の前記底部分との間に設けられた底部とからなる第１部材であって各側部の一端部分が前記斜材の前記本体の前記端部の前記頂部分の第２径方向外方に、他端部分が前記底部分の第２径方向外方にそれぞれ配置され、前記側部の前記底部分及び前記底部が前記第１スリットと前記第２スリットとに受け入れられ、前記本体の前記端部の前記頂部分と前記底部分とに固定され、前記側部の前記頂部分が前記本体の前記端部から前記本体の軸線方向外方へ隔てられ、前記ガセットプレートの他端部に結合された第１部材と、該第１部材の前記側部の各端部分に固定され、該端部分から第１径方向外方へ突出する第２部材であって第１径方向外方から前記端部分に向けて風が吹いたとき、該風が前記端部分に当たることを妨げる第２部材とを含む。
【００１０】
第１径方向外方から前記第１部材の一側部の各端部分に向けて風が吹いたとき、該風は、前記第２部材により前記一側部の前記端部分に当たることを妨げられ、該端部分から前記第２径方向に離れた位置を経て他側部の前記端部分から前記第２径方向に離れた位置へ流れる。このため、前記風が前記一側部の前記端部分の近傍を経て前記他側部の前記端部分へ流れる従来の場合のように前記一側部の前記端部分から前記他側部の前記端部分へ流れた空気が該端部分に当たって前記一側部と前記他側部との間に入ること及び前記一側部と前記他側部との間に入らずに該他側部の前記端部分を通過することが周期的に繰り返されることはない。これにより、前記一側部と前記他側部との間の空気の圧力が周期的に変化して該空気が共鳴することを防ぐことができ、前記一側部と前記他側部との間から音が発生することを防止することができる。
【００１１】
前記第２部材は、前記第２径方向に対して垂直な板状である。前記第１部材の前記一側部と前記他側部との間の間隔は約２０ｍｍであり、前記第１径方向における前記第２部材の長さ寸法は１０ｍｍないし２０ｍｍである。
【発明の効果】
【００１２】
本発明によれば、管状の本体を有する斜材を鉄塔の主柱材に取り付ける取付け部の構造が、前記本体の第１径方向に間隔を置かれ、それぞれが、前記第１径方向と直交する第２径方向に間隔を置かれた２つの端部分を有する、相対する２つの側部と該側部の間に設けられた底部とからなる第１部材に加え、各側部の各端部分に固定され、該端部分から第１径方向外方へ突出する第２部材であって第１径方向外方から前記端部分に向けて風が吹いたとき、該風が前記端部分に当たることを妨げる第２部材を有するため、第１径方向外方から前記第１部材の一側部の各端部分に向けて風が吹いたとき、該風は、前記第２部材により前記一側部の前記端部分に当たることを妨げられ、該端部分から前記第２径方向に離れた位置を経て前記他側部の前記端部分から前記第２径方向に離れた位置へ流れる。このため、前記風が前記一側部の前記端部分の近傍を経て前記他側部の前記端部分へ流れる従来の場合のように前記一側部の前記端部分から前記他側部の前記端部分へ流れた空気が該端部分に当たって前記一側部と前記他側部との間に入ること及び前記一側部と前記他側部との間に入らずに該他側部の前記端部分を通過することが周期的に繰り返されることはない。これにより、前記一側部と前記他側部との間の空気の圧力が周期的に変化して該空気が共鳴することを防ぐことができ、前記一側部と前記他側部との間から音が発生することを防止することができる。
【図面の簡単な説明】
【００１３】
【図１】本発明に係る、主柱材への斜材取付け部の構造の斜視図。
【図２】本発明に係る、斜材取付け部の構造の第１部材の側面図。
【図３】図２の線３における、第１部材の正面図。
【図４】図３の線４における、第１部材の平面図。
【図５】本発明に係る、斜材取付け部の構造の平面図。
【図６】図５の線６における、斜材取付け部の構造の断面図。
【図７】第１試験体が風を受けている状態を示す斜視図。
【図８】第２試験体が風を受けている状態を示す斜視図。
【図９】試験体から発生する音に関する試験の結果を示す図。
【図１０】比較例についての試験の結果を示す図。
【図１１】第１試験体を用いてケース１について行った試験の結果を示す図。
【図１２】第１試験体を用いてケース２について行った試験の結果を示す図。
【図１３】第１試験体を用いてケース３について行った試験の結果を示す図。
【図１４】第１試験体を用いてケース４について行った試験の結果を示す図。
【図１５】第２試験体を用いてケース１について行った試験の結果を示す図。
【図１６】第２試験体を用いてケース２について行った試験の結果を示す図。
【図１７】第２試験体を用いてケース３について行った試験の結果を示す図。
【図１８】第２試験体を用いてケース４について行った試験の結果を示す図。
【図１９】主柱材への斜材取付け部の従来の構造の断面図。
【発明を実施するための形態】
【００１４】
図１に示すように、管状の本体１０を有する斜材１２が鉄塔の主柱材１４に取り付けられており、斜材１２を主柱材１４に取り付ける取付け部の構造１６は、一端部が主柱材１４に固定されたガセットプレート１８と、該ガセットプレートの他端部と本体１０とを連結する第１部材２０とを含む。
【００１５】
図２ないし４に示すように、斜材１２の本体１０は、開放された端部２２を有し、該端部は、第１径方向（図４における左右方向）に間隔を置かれた２つの側部分２４と、該側部分の間に前記第１径方向と直交する第２径方向（図４における上下方向）に間隔を置かれた頂部分２６及び底部分２８とを有する。斜材１２は、本体１０の頂部分２６に設けられ、本体１０の軸線方向外方（図３における上方）へ開放された第１スリット３０と、底部分２８に設けられ、本体１０の軸線方向外方へ開放された第２スリット３２とを有する。本体１０の断面形状は円形であり、本体１０の内径は、例えば、５０ｍｍないし２００ｍｍである。
【００１６】
第１部材２０は、図３に示したように、前記第１径方向に間隔を置かれた、相対する２つの側部３４であってそれぞれが、前記第２径方向に間隔を置かれた２つの端部分３６と該端部分の間に本体１０の軸線方向に間隔を置かれた頂部分３８及び底部分４０とを有する、相対する２つの側部３４と、一側部３４の底部分４０と他側部３４の底部分４０との間に設けられた底部４２とからなる。第１部材２０は、折り曲げられた板状であり、本体１０の軸線方向外方へ開放されたＵ字形の断面形状を有する。第１部材２０の一側部３４と他側部３４との間に隙間がある。一側部３４と他側部３４との間の間隔４４（図３）は２０ｍｍないし３０ｍｍであり、各側部３４の厚さ寸法は３ｍｍないし５ｍｍである。
【００１７】
第１部材２０の各側部３４の底部分４０及び底部４２は、第１スリット３０と第２スリット３２とに受け入れられ、本体１０の端部２２の頂部分２６と底部分２８とに固定されている。第１部材２０の各側部３４の一端部分３６は本体１０の端部２２の頂部分２６の第２径方向外方に配置され、他端部分３６は底部分２８の第２径方向外方に配置されている（図４）。第１部材２０の各側部３４の頂部分３８は、本体１０の端部２２から本体１０の軸線方向外方へ隔てられ、図５に示すように、ガセットプレート１８の他端部に結合されている。
【００１８】
第１部材２０の各側部３４は、該側部の頂部分３８に間隔を置いて設けられ、それぞれが頂部分３８をその厚さ方向に貫く複数の貫通穴４６を有する。図５に示したように、ガセットプレート１８は、該ガセットプレートの前記他端部に間隔を置いて設けられ、それぞれが前記他端部をその厚さ方向に貫く複数の貫通穴４８を有し、前記他端部は、第１部材２０の一側部３４の頂部分３８と他側部３４の頂部分３８との間に受け入れられている。第１部材２０の各側部３４の頂部分３８とガセットプレート１８の前記他端部との結合は、頭部が第１部材２０の一側部３４の第１径方向外方に配置され、軸部が一側部３４の各貫通穴４６とガセットプレート１８の各貫通穴４８と他側部３４の各貫通穴４６とを経て他側部３４の第１径方向外方へ伸びるボルト５０と、他側部３４の第１径方向外方において前記軸部に螺合されたナット５２とによる。この結合は前記鉄塔の構築時になされる。
【００１９】
取付け部の構造１６は、第１部材２０の各側部３４の各端部分３６に固定され、該端部分から第１径方向外方へ突出する第２部材５４を含む。第２部材５４は、第１径方向外方から端部分３６に向けて風が吹いたとき、該風が端部分３６に当たることを妨げる。第２部材５４は、前記第２径方向に対して垂直な板状であり、前記第１径方向における第２部材５４の長さ寸法５６（図４）は、例えば、１０ｍｍないし２０ｍｍである。
【００２０】
図６に示すように、第１径方向外方から第１部材２０の一側部３４の端部分３６に向けて（図６における左方から右方へ）風５８が吹いたとき、該風は、第２部材５４により一側部３４の端部分３６に当たることを妨げられて、該端部分から前記第２径方向に離れた位置を経て他側部３４の端部分３６から前記第２径方向に離れた位置へ流れる。このため、風５８が一側部３４の端部分３６の近傍を経て他側部３４の端部分３６へ流れる従来の場合のように一側部３４の端部分３６から他側部３４の端部分３６へ流れた空気が該端部分に当たって一側部３４と他側部３４との間に入ること及び一側部３４と他側部３４との間に入らずに該他側部の端部分３６を通過することが周期的に繰り返されることはなく、一側部３４と他側部３４との間の空気の圧力が周期的に変化することを防ぐことができる。これにより、前記空気が共鳴しないようにすることができ、一側部３４と他側部３４との間から音が発生することを防止することができる。
【００２１】
主柱材１４、斜材１２の本体１０、ガセットプレート１８、第１部材２０及び第２部材５４のそれぞれは、図１に示した例では、鋼製であるが、これに代え、アルミニウムのような他の金属からなるものでもよいし、プラスチックのような金属以外の材料からなるものでもよい。本体１０の断面形状は、円形である図４に示した例に代え、四角形、五角形、六角形又は他の多角形でもよい。取付け部の構造１６は、主柱材１４への斜材１２の取付けに用いられる図１に示した例に代え、主柱材１４への腕金、水平材、対角補助材、対辺補助材等の取付けに用いられてもよいし、腕金、水平材等への斜材１２の取付けに用いられてもよい。また、取付け部の構造１６は、鉄塔に使用される図１に示した例に代え、駅、工場等に使用されてもよい。この場合、取付け部の構造１６は、柱への斜材、梁又は梁以外の水平材の取付けに用いられてもよいし、梁への斜材又は垂直材の取付けに用いられてもよい。
【００２２】
図７、８に示すように、試験体６０、６０’が風６２を受けているときに試験体６０、６０’から発生する音の有無を調べる試験を行った。試験体６０には、第１試験体６０と、第２試験体６０’とを用いた。第１試験体６０及び第２試験体６０’のそれぞれは、第１水平方向に間隔を置かれた、相対する２つの側部６４と該側部の間に前記第１水平方向と直交する第２水平方向に間隔を置かれた頂部６６及び底部６８とからなる第１部材７０と、各側部６４の上端部分７２に固定され、該上端部分から第１水平方向外方へ突出する第２部材７４とを含む。第１部材７０は上方及び下方のそれぞれに開放されている。
【００２３】
第１部材７０の一側部６４と他側部６４との間の間隔は２０ｍｍであり、各側部６４の長さ寸法（上下方向寸法）は３００ｍｍであり、高さ寸法（第２水平方向寸法）は１００ｍｍであり、厚さ寸法は３ｍｍである。第１試験体６０では、第２部材７４は、第１部材７０の各側部６４の上端部分７２に結合された、前記第１水平方向に対して垂直な縦部分７６と、該縦部分の上端部に形成され、該上端部から第１水平方向外方へ伸びる横部分７８とからなる。横部分７８の厚さ寸法は１ｍｍである。
【００２４】
前記試験を行うとき、第１水平方向外方から第１部材７０の一側部６４の上端部分７２に向けて風速１１ｍ／ｓの風６２を送る。前記試験は、図９に示すように、第２部材７４の横部分７８の幅寸法ｂが異なるケース１ないし４について行った。ケース１ないし４における横部分７８の幅寸法ｂはそれぞれ５ｍｍ、１０ｍｍ、１５ｍｍ及び２０ｍｍである。
【００２５】
比較例として、第１部材７０のみからなり、第２部材７４を有しない第３試験体（図示せず）が風６２を受けているときに前記第３試験体から発生する音の有無を調べたところ、聴感上、前記第３試験体から比較的大きな音が聞こえた。図１０に示すように、前記音のＡ特性音圧レベルは６１７Ｈｚの周波数において最も高く、この周波数におけるＡ特性音圧レベルは約６６．１ｄＢである。また、前記音のＡ特性音圧レベルは、周波数の全域（１００Ｈｚないし３５００Ｈｚ）に亘ってほぼ３０ｄＢないし５５ｄＢの範囲内にあり、比較的高い。これらの結果から、風６２が一側部６４の上端部分７２の近傍を経て他側部６４の上端部分７２へ流れたため、一側部６４の上端部分７２から他側部６４の上端部分７２へ流れた空気が該上端部分に当たって一側部６４と他側部６４との間に入ること及び一側部６４と他側部６４との間に入らずに該他側部の上端部分７２を通過することが周期的に繰り返され、一側部６４と他側部６４との間の空気が共鳴したことがわかる。なお、３００Ｈｚの周波数を有する音のＡ特性音圧レベルが比較的高いが、この音は、暗騒音であり、送風機から発生した音のような、前記第３試験体から発生した音以外の音である。
【００２６】
図９に示したように、ケース１では、聴感上、第１試験体６０から微かに音が聞こえたが、該音は非常に小さく、ケース２ないし４では、第１試験体６０から音が聞こえなかった。図１１ないし１４に示すように、ケース１ないし４では、６１７Ｈｚの周波数を有する音のＡ特性音圧レベルは、それぞれ、４０．６ｄＢ、４１．１ｄＢ、４０．２ｄＢ及び４１．５ｄＢであり、非常に低い。また、Ａ特性音圧レベルは、周波数の全域に亘わってほぼ２５ｄＢないし４５ｄＢの範囲内にあり、比較的低い。これらの結果から、第２部材７４が、風６２が第１部材７０の一側部６４の上端部分７２に当たることを妨げることにより、風６２が、一側部６４の上端部分７２から上方へ隔てられた位置を経て他側部６４の上端部分７２から上方へ隔てられた位置へ流れたため、一側部６４の上端部分７２から他側部６４の上端部分７２へ流れた空気が該上端部分に当たって一側部６４と他側部６４との間に入ること及び一側部６４と他側部６４との間に入らずに該他側部の上端部分７２を通過することが周期的に繰り返されることはなく、一側部６４と他側部６４との間の空気が共鳴しなかったことがわかる。また、第２部材７４の横部分７８の幅寸法ｂが１０ｍｍ以上である場合、横部分７８の幅寸法ｂが５ｍｍである場合と比べて、前記空気の共鳴をより確実に防止できることがわかる。
【００２７】
第１試験体６０では、第２部材７４が縦部分７６及び横部分７８からなるが、第２試験体６０’では、第２部材７４が矩形の断面形状を有する（図８）。この場合、第２部材７４の高さ寸法は２０ｍｍであり、前記試験は、第２部材７４の幅寸法ｂが異なるケース１ないし４について行った。ケース１ないし４における第２部材７４の幅寸法ｂはそれぞれ５ｍｍ、１０ｍｍ、１５ｍｍ及び２０ｍｍである。
【００２８】
図９に示したように、ケース１では、聴感上、第２試験体６０’から微かに音が聞こえたが、該音は非常に小さく、ケース２ないし４では、第２試験体６０’から音が聞こえなかった。図１５ないし１８に示すように、ケース１ないし４では、６１７Ｈｚの周波数を有する音のＡ特性音圧レベルは、それぞれ、４２．５ｄＢ、４２．４ｄＢ、４０．６ｄＢ及び３８．９ｄＢであり、非常に低い。また、Ａ特性音圧レベルは、周波数の全域に亘わってほぼ２５ｄＢないし４５ｄＢの範囲内にあり、比較的低い。これらの結果から、風６２が、第２部材７４により第１部材７０の一側部６４の上端部分７２に当たることを妨げられて、一側部６４の上端部分７２から上方へ隔てられた位置を経て他側部６４の上端部分７２から上方へ隔てられた位置へ流れたため、一側部６４の上端部分７２から他側部６４の上端部分７２へ流れた空気が該上端部分に当たって一側部６４と他側部６４との間に入ること及び一側部６４と他側部６４との間に入らずに該他側部の上端部分７２を通過することが周期的に繰り返されることはなく、一側部６４と他側部６４との間の空気が共鳴しなかったことがわかる。また、第２部材７４の幅寸法ｂが１０ｍｍ以上である場合、第２部材７４の幅寸法ｂが５ｍｍである場合と比べて、前記空気の共鳴をより確実に防止できることがわかる。
【符号の説明】
【００２９】
１０    本体
１２    斜材
１４    主柱材
１６    取付け部の構造
１８    ガセットプレート
２０    第１部材
２２    端部
２４    側部分
２６    頂部分
２８    底部分
３０    第１スリット
３２    第２スリット
３４    側部
３６    端部分
３８    頂部分
４０    底部分
４２    底部
５４    第２部材
【図１】
0005462037.tif 000002
【図２】
0005462037.tif 000003
【図３】
0005462037.tif 000004
【図４】
0005462037.tif 000005
【図５】
0005462037.tif 000006
【図６】
0005462037.tif 000007
【図７】
0005462037.tif 000008
【図８】
0005462037.tif 000009
【図９】
0005462037.tif 000010
【図１０】
0005462037.tif 000011
【図１１】
0005462037.tif 000012
【図１２】
0005462037.tif 000013
【図１３】
0005462037.tif 000014
【図１４】
0005462037.tif 000015
【図１５】
0005462037.tif 000016
【図１６】
0005462037.tif 000017
【図１７】
0005462037.tif 000018
【図１８】
0005462037.tif 000019
【図１９】
0005462037.tif 000020